(57)【要約】  【課題】    短波長の光束を用いて異なる高密度ディスクに対して情報の記録及び／又は再生を適切に行うことができる光ピックアップ装置及び光ディスク用のドライブ装置を提供する。  【解決手段】  変倍機構が、対物光学系ＯＬに対する第１光束の入射角を変更させるので、例えば平行光束を対物光学系ＯＬに入射させると球面収差を生じるＨＤに関しては、発散光束を対物光学系ＯＬに入射させることによって球面収差の補正を行うことができる。又、ＢＤの使用時とＨＤの使用時とにおける開口数の違いは、開口制限機構を用いて、使用する光情報記録媒体に応じて適切な開口を選択することで対応できる。【選択図】      図１
2006092671.tif 000002
【特許請求の範囲】
【請求項１】
第１波長λ１の第１光束により、厚さｔ１の保護層を有する第１光情報記録媒体、及び厚さｔ２（４＜ｔ２／ｔ１＜８）の保護層を有する第２光情報記録媒体のそれぞれの情報記録面に対して情報の記録及び／又は再生を行うために、前記第１光束を出射可能である第１光源部と、前記情報記録面からの反射光束を検出する第１光検出器とを有する第１光検出器とを１つずつ有する光ピックアップ装置であって、
前記第１光源部から出射された前記第１光束の発散角を変換して射出するカップリング光学系と、
前記第１光源部から出射される前記第１光束を集光して、前記第１光情報記録媒体及び第２光情報記録媒体のそれぞれの情報記録面上に集光スポットを形成せしめる機能を有し、前記第１光束の平行光束を前記第１光情報記録媒体の情報記録面上に第１開口数ＮＡ１で集光させた場合の集光スポットの波面収差が０．０７λ１ｒｍｓ以下であるとともに、前記第１光束の平行光束を前記第２光情報記録媒体の情報記録面上に第２開口数ＮＡ２（ＮＡ２＜ＮＡ１）で集光させた場合の集光スポットの波面収差が０．５λ１ｒｍｓ以上１．５λ１ｒｍｓ以下である対物光学系と、
前記第１光源部と前記対物光学系の間の光路中に配置された変倍光学系を備え、前記対物光学系に対する前記第１光束の入射角を変更させることで、前記対物光学系の倍率を変更可能な変倍機構と、
前記変倍機構と前記対物光学系の間の光路中に配置され、前記対物光学系の開口数を変更可能な開口制限機構と、を有し、
前記第１光情報記録媒体に対して情報の記録及び／又は再生を行う場合は、前記変倍機構は前記対物光学系の倍率ｍが−０．０３≦ｍ≦０．０３を満たすように前記第１光束を前記対物光学系に対して入射させるとともに、前記開口制限機構は、前記対物光学系の開口数が前記第１開口数ＮＡ１となるように開口を形成し、
前記第２光情報記録媒体に対して情報の記録及び／又は再生を行う場合は、前記変倍機構は前記対物光学系の倍率が−０．１５≦ｍ≦−０．０４を満たすように前記第１光束を前記対物光学系に対して入射させるとともに、前記開口制限機構は、前記対物光学系の開口数が前記第２開口数ＮＡ２となるように開口を形成することを特徴とする光ピックアップ装置。
【請求項２】
前記光ピックアップ装置は、前記第２光情報記録媒体に対して情報の記録及び／又は再生を行う場合に、前記対物光学系がトラッキング駆動した際に生じるコマ収差を補正する機能を備えたコマ収差補正機構を更に有することを特徴とする請求項１に記載の光ピックアップ装置。
【請求項３】
前記コマ収差補正機構は、光学素子を光軸垂直方向にシフト駆動、又は光軸に垂直な回転軸を中心として回転駆動させるためのアクチュエータを有し、前記対物光学系のトラッキング駆動に追従して前記光学素子を前記アクチュエータによりシフト駆動、又は回転駆動させることを特徴とする請求項２に記載の光ピックアップ装置。
【請求項４】
前記光学素子は少なくとも１つの非球面を有することを特徴とする請求項３に記載の光ピックアップ装置。
【請求項５】
前記コマ収差補正機構は、前記対物光学系の対物光学素子を光軸に垂直な回転軸を中心として回転駆動させるためのアクチュエータを有し、前記対物光学系のトラッキング駆動に追従して前記対物光学素子を前記アクチュエータにより回転駆動させることを特徴とする請求項２に記載の光ピックアップ装置。
【請求項６】
前記対物光学系を回転駆動させるためのアクチュエータは、更に前記対物光学系をトラッキング駆動、及びフォーカシング駆動させる機能を有する３軸アクチュエータであることを特徴とする請求項５に記載の光ピックアップ装置。
【請求項７】
前記コマ収差補正機構は、少なくとも一方が光軸に関して非対称に分割された２枚の電極パネルと、当該電極パネルに挟置された液晶パネルと、当該電極パネルに電圧を供給するための電源部とを有し、前記対物光学系のトラッキング駆動に追従して前記電源部により前記電極パネルに電圧を供給することを特徴とする請求項２に記載の光ピックアップ装置。
【請求項８】
前記対物光学系は前記コマ収差補正機構と一体となってトラッキング駆動を行うことを特徴とする請求項７に記載の光ピックアップ装置。
【請求項９】
前記変倍機構は、屈折力を有する光学素子を光軸方向にシフト駆動させるためのアクチュエータを有し、情報の記録及び／又は再生を行う光情報記録媒体の保護層の厚さに応じて、前記光学素子を前記アクチュエータによりシフト駆動させることで前記対物光学系に対する前記第１光束の入射角を変更させることを特徴とする請求項１乃至８の何れか一項に記載の光ピックアップ装置。
【請求項１０】
前記変倍機構は、屈折力を有する光学素子を前記第１光束の光路から挿脱させるためのアクチュエータを有し、情報の記録及び／又は再生を行う光情報記録媒体の保護層の厚さに応じて、前記光学素子を前記アクチュエータにより前記第１光束の光路から挿脱させることで前記対物光学系に対する前記第１光束の入射角を変更させることを特徴とする請求項１乃至８の何れか一項に記載の光ピックアップ装置。
【請求項１１】
前記光学素子は凸レンズであって、前記第１光情報記録媒体に対して情報の記録及び／又は再生を行う場合には、前記光学素子を前記アクチュエータにより前記第１光束の光路に挿入させ、前記第２光情報記録媒体に対して情報の記録及び／又は再生を行う場合には、前記光学素子を前記アクチュエータにより前記第１光束の光路から脱離させることを特徴とする請求項１０に記載の光ピックアップ装置。
【請求項１２】
前記光学素子は凹レンズであって、前記第１光情報記録媒体に対して情報の記録及び／又は再生を行う場合には、前記光学素子を前記アクチュエータにより前記第１光束の光路から脱離させ、前記第２光情報記録媒体に対して情報の記録及び／又は再生を行う場合には、前記光学素子を前記アクチュエータにより前記第１光束の光路に挿入させることを特徴とする請求項１０に記載の光ピックアップ装置。
【請求項１３】
前記第１光情報記録媒体及び／又は前記第２光情報記録媒体は、複数の情報記録面を有する多層型光情報記録媒体であって、前記変倍機構は、前記対物光学系が情報記録面間のフォーカスジャンプを行うことに応じて、前記第１光情報記録媒体及び／又は前記第２光情報記録媒体の光束入射面から情報記録面までの距離に基づいて前記対物光学系に対する前記第１光束の入射角を変更させることを特徴とする請求項１乃至１２の何れか一項に記載の光ピックアップ装置。
【請求項１４】
前記対物光学系は樹脂製の光学素子を少なくとも１つ有し、前記変倍機構は、前記対物光学系に対する前記第１光束の入射角を変更させることで、温度変化に伴う情報記録面上の球面収差の変化を補正することを特徴とする請求項１乃至１３の何れか一項に記載の光ピックアップ装置。
【請求項１５】
前記開口制限機構は、前記第１開口数ＮＡ１に対応する第１開口部と、前記第２開口数ＮＡ２に対応する第２開口部とが形成された板部材と、当該板部材をシフト駆動、又は所定の回転軸を中心として回転駆動させるためのアクチュエータを有し、前記第１光情報記録媒体に対して情報の記録及び／又は再生を行う場合には、前記第１開口部の中心と前記対物光学系の光軸とが一致するように前記板部材をシフト駆動、又は回転駆動させ、前記第２光情報記録媒体に対して情報の記録及び／又は再生を行う場合には、前記第２開口部の中心と前記対物光学系の光軸とが一致するように前記板部材をシフト駆動、又は回転駆動させることを特徴とする請求項１乃至１４の何れか一項に記載の光ピックアップ装置。
【請求項１６】
前記開口制限機構は、複数の羽部材と、当該複数の羽部材を駆動させるためのアクチュエータとを有し、情報の記録及び／又は再生を行う光情報記録媒体の保護層の厚さに応じて、前記複数の羽部材から形成される開口部の大きさを前記アクチュエータにより変更することを特徴とする請求項１乃至１４の何れか一項に記載の光ピックアップ装置。
【請求項１７】
前記開口制限機構は、液晶シャッターであることを特徴とする請求項１乃至１４の何れか一項に記載の光ピックアップ装置。
【請求項１８】
前記開口制限機構は、少なくとも一方が光軸を含む中央領域と当該中央領域を囲む周辺領域とに分割された２枚の電極パネルと、当該電極パネルに電圧を供給するための電源部と、前記電極パネルに挟置され、前記対物光学系に入射する前記第１光束のうち、前記周辺領域を通過する光束の偏光面を、前記電源部により前記電極パネルに印加される電圧量に基づいて所定量回転させるための偏光面回転機構としての液晶パネルを有することを特徴とする請求項１７に記載の光ピックアップ装置。
【請求項１９】
前記開口制限機構と前記対物光学系の間の光路中に１／４波長板を有することを特徴とする請求項１８に記載の光ピックアップ装置。
【請求項２０】
前記中央領域は、前記第２開口数ＮＡ２内に相当する領域であることを特徴とする請求項１８又は１９に記載の光ピックアップ装置。
【請求項２１】
前記光ピックアップ装置は、第２波長λ２（１．５＜λ２／λ１＜１．７）の第２光束を可能である出射第２光源部と、前記第２光束の反射光束を検出する第２光検出器とを更に有し、前記第２光束により、厚さｔ３（４＜ｔ３／ｔ１＜８）の保護層を有する第３光ディスクに対して情報の記録及び／又は再生が可能であって、前記対物光学系は、前記厚さｔ１と前記厚さｔ２の差に起因する球面収差を補正するための第１位相構造を有することを特徴とする請求項１乃至２０の何れか一項に記載の対物光学系。
【請求項２２】
前記光ピックアップ装置は、第３波長λ３（１．８＜λ３／λ１＜２．１）の第３光束を可能である出射第３光源部と、前記第３光束の反射光束を検出する第３光検出器とを更に有し、前記第３光束により、厚さｔ４（１０＜ｔ４／ｔ１＜１４）の保護層を有する第３光ディスクに対して情報の記録及び／又は再生が可能であって、前記対物光学系は、前記厚さｔ１と前記厚さｔ４の差に起因する球面収差を補正するための第２位相構造を有することを特徴とする請求項１乃至２１の何れか一項に記載の対物光学系。
【請求項２３】
請求項１乃至２２の何れか一項に記載の光ピックアップ装置を搭載したことを特徴とする光ディスク用のドライブ装置。
【発明の詳細な説明】
【技術分野】
【０００１】
本発明は、異なる種類の光情報記録媒体に対して互換可能に情報の記録及び／又は再生を行える光ピックアップ装置及び光ディスク用のドライブ装置に関する。
【背景技術】
【０００２】
近年、短波長赤色半導体レーザの実用化に伴い、従来の光ディスク（光情報記録媒体ともいう）である、ＣＤ（コンパクトディスク）と同程度の大きさで大容量化させた高密度の光ディスク（光情報記録媒体ともいう）であるＤＶＤ（デジタルバーサタイルディスク）が開発・製品化されているが、より高密度な次世代の光ディスクも開発されている。このような次世代の光ディスクを媒体とした光ピックアップ装置の集光光学系では、記録信号の高密度化を図るため、或いは高密度記録信号を再生するため、対物光学系を介して情報記録面上に集光するスポッ卜の径を小さくすることが要求される。そのためには、光源であるレーザの短波長化が必要となる。短波長レーザ光源としてその実用化が期待されているのは、波長４００ｎｍ程度の青紫色半導体レーザである。
【０００３】
一例として、開口数ＮＡ０．６７、光源波長４０５ｎｍ、保護層厚さ０．６ｍｍの仕様で情報の記録／再生を行う光ディスク（例えばＨＤ  ＤＶＤ：以下ＨＤという）では、ＤＶＤ（ＮＡ０．６、光源波長６５０ｎｍ、記憶容量４、７ＧＢ）と同じ大きさである直径１２ｃｍの光ディスクに対して、１面あたり１５〜２０ＧＢの情報の記録が可能である。又、開口数ＮＡ０．８５、光源波長４０５ｎｍ、保護層厚さ０．１ｍｍの仕様で情報の記録／再生を行う光ディスク（例えばＢｌｕ−ｒａｙ  Ｄｉｓｃ：ＢＤと略記する）では、直径１２ｃｍの光ディスクに対して、１面あたり２０〜３０ＧＢの情報の記録が可能である。尚、本明細書においては、波長４００ｎｍ程度の青紫色半導体レーザを用いて、情報の記録及び／又は再生を行う光ディスクを総称して「高密度光ディスク」と呼ぶ。
【０００４】
ところで、一種類の高密度光ディスクのみに対して適切に情報を記録／再生できるというだけでは、光ピックアップ装置の製品としての価値は十分なものとはいえない。現時点で２種類の高密度光ディスクの規格が定まり、双方の高密度光ディスクにおいて、それぞれ情報が記録されたソフトが市販されることが明らかであるので、ユーザーの立場に立てば、一種類の高密度光ディスクに対してのみ情報の記録／再生を行えたとしても、それでは使い勝手が十分といえないからである。
【特許文献１】特開２００１−１９５７６９号公報
【特許文献２】特開平１１−９６５８５号公報
【発明の開示】
【発明が解決しようとする課題】
【０００５】
しかし、ＢＤとＨＤに対して互換可能に情報の記録及び／又は再生を行う場合には、両者の保護層厚みが互いに異なることと、光源波長が互いに同じであることが問題となる。
【０００６】
保護層厚みと光源波長が互いに異なる光ディスク対して互換可能に情報の記録及び／又は再生を行える対物光学系として、回折作用を利用した対物光学系が特許文献１に開示されている。この特許文献１の技術は、回折構造により発生する球面収差の波長依存性を利用して保護層厚みに起因する球面収差を補正する技術であるが、ＢＤとＨＤでは光源波長が互いに同じであるため、回折作用を利用して保護層厚みに起因する球面収差を補正することはできない。
【０００７】
一方、保護層厚みが互いに異なり、光源波長が互いに同じである光ディスク対して互換可能に情報の記録及び／又は再生を行える対物光学系として、光学面内に微少な段差からなる輪帯を形成した対物光学系が特許文献２に開示されている。この特許文献２の技術は、輪帯を通過する光束の集光位置が保護層厚みに依存することを利用して保護層厚みに起因する球面収差を補正する技術であるが、対物光学系が高開口数化されたＢＤとＨＤでは、保護層厚みの違いに起因して発生する球面収差量が大きいため、かかる技術では実使用に耐えうる程度まで球面収差を補正することができない。
【０００８】
また、ＢＤとＨＤに対して互換可能に情報の記録及び／又は再生を行う場合には、開口数が互いに異なることも問題となる。光源波長に応じて対物光学系の開口数を制御する技術として一般的に知れられている技術である、回折作用の波長依存性を利用する技術（特許文献１に開示されている）や、透過率の波長依存性を有する波長選択フィルターを利用する技術は、光源波長が互いに同じであるＢＤとＨＤには利用することができないからである。
【０００９】
本発明は、上述の問題を考慮したものであり、短波長の光束を用いて異なる高密度ディスクに対して情報の記録及び／又は再生を適切に行うことができる光ピックアップ装置及び光ディスク用のドライブ装置を提供することを目的とする。
【課題を解決するための手段】
【００１０】
請求項１に記載の光ピックアップ装置は、第１波長λ１の第１光束により、厚さｔ１の保護層を有する第１光情報記録媒体、及び厚さｔ２（４＜ｔ２／ｔ１＜８）の保護層を有する第２光情報記録媒体のそれぞれの情報記録面に対して情報の記録及び／又は再生を行うために、前記第１光束を出射可能である第１光源部と、前記情報記録面からの反射光束を検出する第１光検出器とを有する第１光検出器とを１つずつ有する光ピックアップ装置であって、
前記第１光源部から出射された前記第１光束の発散角を変換して射出するカップリング光学系と、
前記第１光源部から出射される前記第１光束を集光して、前記第１光情報記録媒体及び第２光情報記録媒体のそれぞれの情報記録面上に集光スポットを形成せしめる機能を有し、前記第１光束の平行光束を前記第１光情報記録媒体の情報記録面上に第１開口数ＮＡ１で集光させた場合の集光スポットの波面収差が０．０７λ１ｒｍｓ以下であるとともに、前記第１光束の平行光束を前記第２光情報記録媒体の情報記録面上に第２開口数ＮＡ２（ＮＡ２＜ＮＡ１）で集光させた場合の集光スポットの波面収差が０．５λ１ｒｍｓ以上１．５λ１ｒｍｓ以下である対物光学系と、
前記第１光源部と前記対物光学系の間の光路中に配置された変倍光学系を備え、前記対物光学系に対する前記第１光束の入射角を変更させることで、前記対物光学系の倍率を変更可能な変倍機構と、
前記変倍機構と前記対物光学系の間の光路中に配置され、前記対物光学系の開口数を変更可能な開口制限機構と、を有し、
前記第１光情報記録媒体に対して情報の記録及び／又は再生を行う場合は、前記変倍機構は前記対物光学系の倍率ｍが−０．０３≦ｍ≦０．０３を満たすように前記第１光束を前記対物光学系に対して入射させるとともに、前記開口制限機構は、前記対物光学系の開口数が前記第１開口数ＮＡ１となるように開口を形成し、
前記第２光情報記録媒体に対して情報の記録及び／又は再生を行う場合は、前記変倍機構は前記対物光学系の倍率が−０．１５≦ｍ≦−０．０４を満たすように前記第１光束を前記対物光学系に対して入射させるとともに、前記開口制限機構は、前記対物光学系の開口数が前記第２開口数ＮＡ２となるように開口を形成することを特徴とする。
【００１１】
共通に用いる前記対物光学系は、前記第１光情報記録媒体については、平行光束を入射させたときに球面収差を低く抑えることができる（０．０７λ１ｒｍｓ未満）が、前記第２光情報記録媒体については、平行光束を入射させたときに球面収差を生じさせる（１．０λ１ｒｍｓ以上１．８λ１ｒｍｓ以下）特性となっている。本発明の光ピックアップ装置によれば、前記変倍機構が、前記対物光学系に対する前記第１光束の入射角を変更させるので、例えば平行光束を前記対物光学系に入射させると球面収差を生じる前記第２光情報記録媒体に関しては、発散光束を前記対物光学系に入射させることによって球面収差の補正を行うことができる。又、前記第１光情報記録媒体の使用時と前記第２光情報記録媒体の使用時とにおける開口数の違いは、前記開口制限機構を用いて、使用する光情報記録媒体に応じて適切な開口を選択することで対応できる。
【００１２】
請求項２に記載の光ピックアップ装置は、請求項１に記載の発明において、前記光ピックアップ装置は、前記第２光情報記録媒体に対して情報の記録及び／又は再生を行う場合に、前記対物光学系がトラッキング駆動した際に生じるコマ収差を補正する機能を備えたコマ収差補正機構を更に有することを特徴とする。
【００１３】
前記第２光情報記録媒体の使用時に、前記対物光学系に発散光束を入射させると、そのトラッキング時にコマ収差が増大する恐れがある。そこで、前記コマ収差補正機構を設けて、コマ収差の補正を行うことで、適切な集光スポットを形成している。
【００１４】
請求項３に記載の光ピックアップ装置は、請求項２に記載の発明において、前記コマ収差補正機構は、光学素子を光軸垂直方向にシフト駆動、又は光軸に垂直な回転軸を中心として回転駆動させるためのアクチュエータを有し、前記対物光学系のトラッキング駆動に追従して前記光学素子を前記アクチュエータによりシフト駆動、又は回転駆動させることを特徴とする
【００１５】
請求項４に記載の光ピックアップ装置は、請求項３に記載の発明において、前記光学素子は少なくとも１つの非球面を有することを特徴とする。
【００１６】
請求項５に記載の光ピックアップ装置は、請求項２に記載の発明において、前記コマ収差補正機構は、前記対物光学系の対物光学素子を光軸に垂直な回転軸を中心として回転駆動させるためのアクチュエータを有し、前記対物光学系のトラッキング駆動に追従して前記対物光学素子を前記アクチュエータにより回転駆動させることを特徴とする
【００１７】
請求項６に記載の光ピックアップ装置は、請求項５に記載の発明において、前記対物光学系を回転駆動させるためのアクチュエータは、更に前記対物光学系をトラッキング駆動、及びフォーカシング駆動させる機能を有する３軸アクチュエータであることを特徴とする
【００１８】
請求項７に記載の光ピックアップ装置は、請求項２に記載の発明において、前記コマ収差補正機構は、少なくとも一方が光軸に関して非対称に分割された２枚の電極パネルと、当該電極パネルに挟置された液晶パネルと、当該電極パネルに電圧を供給するための電源部とを有し、前記対物光学系のトラッキング駆動に追従して前記電源部により前記電極パネルに電圧を供給することを特徴とする。
【００１９】
請求項８に記載の光ピックアップ装置は、請求項７に記載の発明において、前記対物光学系は前記コマ収差補正機構と一体となってトラッキング駆動を行うことを特徴とする。
【００２０】
請求項９に記載の光ピックアップ装置は、請求項１乃至８の何れかに記載の発明において、前記変倍機構は、屈折力を有する光学素子を光軸方向にシフト駆動させるためのアクチュエータを有し、情報の記録及び／又は再生を行う光情報記録媒体の保護層の厚さに応じて、前記光学素子を前記アクチュエータによりシフト駆動させることで前記対物光学系に対する前記第１光束の入射角を変更させることを特徴とする。
【００２１】
請求項１０に記載の光ピックアップ装置は、請求項１乃至８の何れかに記載の発明において、前記変倍機構は、屈折力を有する光学素子を前記第１光束の光路から挿脱させるためのアクチュエータを有し、情報の記録及び／又は再生を行う光情報記録媒体の保護層の厚さに応じて、前記光学素子を前記アクチュエータにより前記第１光束の光路から挿脱させることで前記対物光学系に対する前記第１光束の入射角を変更させることを特徴とする。
【００２２】
請求項１１に記載の光ピックアップ装置は、請求項１０に記載の発明において、前記光学素子は凸レンズであって、前記第１光情報記録媒体に対して情報の記録及び／又は再生を行う場合には、前記光学素子を前記アクチュエータにより前記第１光束の光路に挿入させ、前記第２光情報記録媒体に対して情報の記録及び／又は再生を行う場合には、前記光学素子を前記アクチュエータにより前記第１光束の光路から脱離させることを特徴とする。
【００２３】
請求項１２に記載の光ピックアップ装置は、請求項１０に記載の発明において、前記光学素子は凹レンズであって、前記第１光情報記録媒体に対して情報の記録及び／又は再生を行う場合には、前記光学素子を前記アクチュエータにより前記第１光束の光路から脱離させ、前記第２光情報記録媒体に対して情報の記録及び／又は再生を行う場合には、前記光学素子を前記アクチュエータにより前記第１光束の光路に挿入させることを特徴とする。
【００２４】
請求項１３に記載の光ピックアップ装置は、請求項１乃至１２の何れかに記載の発明において、前記第１光情報記録媒体及び／又は前記第２光情報記録媒体は、複数の情報記録面を有する多層型光情報記録媒体であって、前記変倍機構は、前記対物光学系が情報記録面間のフォーカスジャンプを行うことに応じて、前記第１光情報記録媒体及び／又は前記第２光情報記録媒体の光束入射面から情報記録面までの距離に基づいて前記対物光学系に対する前記第１光束の入射角を変更させることを特徴とする
【００２５】
請求項１４に記載の光ピックアップ装置は、請求項１乃至１３の何れかに記載の発明において、前記対物光学系は樹脂製の光学素子を少なくとも１つ有し、前記変倍機構は、前記対物光学系に対する前記第１光束の入射角を変更させることで、温度変化に伴う情報記録面上の球面収差の変化を補正することを特徴とする。
【００２６】
請求項１５に記載の光ピックアップ装置は、請求項１乃至１４の何れかに記載の発明において、前記開口制限機構は、前記第１開口数ＮＡ１に対応する第１開口部と、前記第２開口数ＮＡ２に対応する第２開口部とが形成された板部材と、当該板部材をシフト駆動、又は所定の回転軸を中心として回転駆動させるためのアクチュエータを有し、前記第１光情報記録媒体に対して情報の記録及び／又は再生を行う場合には、前記第１開口部の中心と前記対物光学系の光軸とが一致するように前記板部材をシフト駆動、又は回転駆動させ、前記第２光情報記録媒体に対して情報の記録及び／又は再生を行う場合には、前記第２開口部の中心と前記対物光学系の光軸とが一致するように前記板部材をシフト駆動、又は回転駆動させることを特徴とする。
【００２７】
請求項１６に記載の光ピックアップ装置は、請求項１乃至１４の何れかに記載の発明において、前記開口制限機構は、複数の羽部材と、当該複数の羽部材を駆動させるためのアクチュエータとを有し、情報の記録及び／又は再生を行う光情報記録媒体の保護層の厚さに応じて、前記複数の羽部材から形成される開口部の大きさを前記アクチュエータにより変更することを特徴とする。
【００２８】
請求項１７に記載の光ピックアップ装置は、請求項１乃至１４の何れかに記載の発明において、前記開口制限機構は、液晶シャッターであることを特徴とする。
【００２９】
請求項１８に記載の光ピックアップ装置は、請求項１７に記載の発明において、前記開口制限機構は、少なくとも一方が光軸を含む中央領域と当該中央領域を囲む周辺領域とに分割された２枚の電極パネルと、当該電極パネルに電圧を供給するための電源部と、前記電極パネルに挟置され、前記対物光学系に入射する前記第１光束のうち、前記周辺領域を通過する光束の偏光面を、前記電源部により前記電極パネルに印加される電圧量に基づいて所定量回転させるための偏光面回転機構としての液晶パネルを有することを特徴とする
【００３０】
請求項１９に記載の光ピックアップ装置は、請求項１８に記載の発明において、前記開口制限機構と前記対物光学系の間の光路中に１／４波長板を有することを特徴とする。
【００３１】
請求項２０に記載の光ピックアップ装置は、請求項１８又は１９に記載の発明において、前記中央領域は、前記第２開口数ＮＡ２内に相当する領域であることを特徴とする。
【００３２】
請求項２１に記載の光ピックアップ装置は、請求項１乃至２０の何れかに記載の発明において、前記光ピックアップ装置は、第２波長λ２（１．５＜λ２／λ１＜１．７）の第２光束を可能である出射第２光源部と、前記第２光束の反射光束を検出する第２光検出器とを更に有し、前記第２光束により、厚さｔ３（４＜ｔ３／ｔ１＜８）の保護層を有する第３光ディスクに対して情報の記録及び／又は再生が可能であって、前記対物光学系は、前記厚さｔ１と前記厚さｔ２の差に起因する球面収差を補正するための第１位相構造を有することを特徴とするので、更にＤＶＤ等に対しても互換可能に情報の記録及び／又は再生を行える光ピックアップ装置を提供できる。
【００３３】
請求項２２に記載の光ピックアップ装置は、請求項１乃至２１の何れかに記載の発明において、前記光ピックアップ装置は、第３波長λ３（１．８＜λ３／λ１＜２．１）の第３光束を可能である出射第３光源部と、前記第３光束の反射光束を検出する第３光検出器とを更に有し、前記第３光束により、厚さｔ４（１０＜ｔ４／ｔ１＜１４）の保護層を有する第３光ディスクに対して情報の記録及び／又は再生が可能であって、前記対物光学系は、前記厚さｔ１と前記厚さｔ４の差に起因する球面収差を補正するための第２位相構造を有することを特徴とするので、更にＣＤ等に対しても互換可能に情報の記録及び／又は再生を行える光ピックアップ装置を提供できる。
【００３４】
請求項２３に記載の光ディスク用のドライブ装置は、請求項１乃至２２の何れか一項に記載の光ピックアップ装置を搭載したことを特徴とする。
【００３５】
本明細書中において、対物光学系とは、狭義には光ピックアップ装置に光情報記録媒体を装填した状態において、最も光情報記録媒体側の位置で、これと対向すべく配置される集光作用を有する光学系を指し、広義にはその光学系と共に、アクチュエータによって少なくともその光軸方向に作動可能な光学素子群と前述の集光作用を有する光学系とから構成される光学系を指すものとする。ここで、かかる光学素子群とは、少なくとも１枚以上（例えば２枚）の光学素子を指すものである。従って、本明細書中において、対物光学系の光情報記録媒体側（像側）の開口数ＮＡとは、対物光学系の最も光情報記録媒体側に位置する光学面の開口数ＮＡを指すものである。また、本明細書中では必要開口数ＮＡは、それぞれの光情報記録媒体の規格で規定されている開口数、あるいはそれぞれの光情報記録媒体に対して、使用する光源の波長に応じ、情報の記録または再生をするために必要なスポット径を得ることができる回折限界性能の対物光学系の開口数を示す。
【００３６】
本明細書においては、情報の記録／再生用の光源として、青紫色半導体レーザや青紫色ＳＨＧレーザを使用する光ディスク（光情報記録媒体ともいう）を総称して「高密度光ディスク」といい、ＮＡ０．８５の対物光学系により情報の記録／再生を行い、保護層の厚さが０．１ｍｍ程度である規格の光ディスク（例えば、ＢＤ）の他に、ＮＡ０．６５乃至０．６７の対物光学系により情報の記録／再生を行い、保護層の厚さが０．６ｍｍ程度である規格の光ディスク（例えば、ＨＤ）も含むものとする。また、このような保護層をその情報記録面上に有する光ディスクの他に、情報記録面上に数〜数十ｎｍ程度の厚さの保護膜を有する光ディスクや、保護層或いは保護膜の厚さが０の光ディスクも含むものとする。また、本明細書においては、高密度光ディスクには、情報の記録／再生用の光源として、青紫色半導体レーザや青紫色ＳＨＧレーザを使用する光磁気ディスクも含まれるものとする。
【００３７】
更に、本明細書においては、ＤＶＤとは、ＤＶＤ−ＲＯＭ、ＤＶＤ−Ｖｉｄｅｏ、ＤＶＤ−Ａｕｄｉｏ、ＤＶＤ−ＲＡＭ、ＤＶＤ−Ｒ、ＤＶＤ−ＲＷ、ＤＶＤ＋Ｒ、ＤＶＤ＋ＲＷ等のＤＶＤ系列光ディスクの総称であり、ＣＤとは、ＣＤ−ＲＯＭ、ＣＤ−Ａｕｄｉｏ、ＣＤ−Ｖｉｄｅｏ、ＣＤ−Ｒ、ＣＤ−ＲＷ等のＣＤ系列光ディスクの総称である。記録密度は、高密度光ディスクが最も高く、次いでＤＶＤ、ＣＤの順に低くなる。
【発明の効果】
【００３８】
本発明によれば、短波長の光束を用いて異なる高密度ディスクに対して情報の記録及び／又は再生を適切に行うことができる光ピックアップ装置及び光ディスク用のドライブ装置を提供することができる。
【発明を実施するための最良の形態】
【００３９】
以下、本発明の実施の形態について図面を用いて説明する。まず、図１を用いて第１の実施の形態にかかる光ピックアップ装置について説明する。尚、本実施の形態にかかる光ピックアップ装置ＰＵ１は、光ディスク用のドライブ装置に組み込むことが可能である。
【００４０】
図１は、高密度光ディスクＢＤとＨＤの何れに対しても適切に情報の記録／再生を行える光ピックアップ装置ＰＵ１の構成を概略的に示す図である。ＢＤの光学的仕様は、波長λ１＝４０５ｎｍ、保護層ＰＬ１の厚さｔ１＝０．１ｍｍ、第１開口数ＮＡ１＝０．８５であり、ＨＤの光学的仕様は、波長λ１＝４０５ｎｍ、保護層ＰＬ２の厚さｔ２＝０．６ｍｍ、第２開口数ＮＡ２＝０．６７であり、対物光学系の焦点距離ｆ＝２．２ｍｍである。但し、波長、保護層の厚さ、及び開口数の組合せはこれに限られない。
【００４１】
光ピックアップ装置ＰＵ１は、ＢＤ及びＨＤに対して情報の記録／再生を行う場合に発光され４０５ｎｍの青紫色レーザ光束（第１光束）を射出する青紫色半導体レーザＬＤ（第１光源部）、ＢＤ及びＨＤ用の光検出器ＰＤ（第１光検出器）、入射したレーザ光束をＢＤの情報記録面ＲＬ１又はＨＤの情報記録面ＲＬ２上に集光させる機能を有する対物光学系ＯＬ、３軸アクチュエータＡＣ１、１軸アクチュエータＡＣ２、第１光束が共通して通過する共通光路内に配置され、１軸アクチュエータＡＣ２より光軸方向に変移可能とされた負レンズＬ１と、正レンズＬ２とから構成された変倍光学系であるビームエキスパンダーＥＸＰ、偏光ビームスプリッタＰＳ、１／４波長板ＱＷＰ、情報記録面ＲＬ１からの反射光束に対して非点収差を付加するためのセンサーレンズＳＥＮ、液晶シャッターＬＱＳ、コリメータＣＬ（カップリング光学系）とから構成されている。尚、光源として、上述の青紫色半導体レーザＬＤの他に青紫色ＳＨＧレーザを使用することもできる。
【００４２】
尚、対物光学系ＯＬのＢＤ記録／再生時の倍率はゼロであり、ＨＤ記録／再生時の倍率は−１／１４．７５である。
【００４３】
本実施の形態で用いる変倍機構は、ＢＤ記録／再生時には平行光束を射出するように負レンズＬ１と正レンズＬ２の間隔を１軸アクチュエータＡＣ２により最適化するようになっている。一方、ＨＤ記録／再生時には発散光束を射出するように負レンズＬ１と正レンズＬ２の間隔を、ＢＤ記録／再生時の間隔よりも狭くなるように１軸アクチュエータＡＣ２により最適化するようになっている。光ピックアップ装置ＰＵ１は、ディスクトレイ（不図示）に収容された光情報記録媒体（光ディスクともいう）の種類（ＢＤ又はＨＤ）を判別し、負レンズＬ１を最適位置に移動させるための制御手段を有する。
【００４４】
また、この変倍機構は、多層記録可能なＢＤにも対応する。より具体的には、同じＢＤにおける異なる深さの情報記録層にアクセスするために、対物光学系ＯＬを光軸方向に変位させるいわゆるフォーカスジャンプする際に発生する球面収差を、負レンズＬ１と正レンズＬ２の間隔を１軸アクチュエータにより最適化（即ち対物光学系ＯＬの倍率を変更）することで補正することができる。なお、フォーカスジャンプの際の負レンズＬ１の移動量は、ＨＤ記録／再生時の移動量よりも小さい。もちろん、かかる変倍機構を用いて、同様に多層記録可能なＨＤに対応させる構成としても良い。光ピックアップ装置ＰＵ１は、対物光学系ＯＬが合焦している情報記録層がどのレイヤーなのか（Ｌ０、Ｌ１、Ｌ１、・・）を判別する為のレイヤー判別手段を有する。
【００４５】
次に、液晶シャッターＬＱＳの作動原理と併せて光ピックアップ装置ＰＵ１の動作を説明する。尚、ここでは、特許文献３に開示されている技術を利用して液晶シャッターＬＱＳによる開口制限を行う方法を説明する。図５（Ａ）に液晶シャッターＬＱＳの液晶分子のツイスト配向状態を説明するための模式斜視図を、図５（Ｂ）に図５（Ａ）の略示平面図を示す。また、図６（Ａ）に液晶シャッターＬＱＳの上側の透明電極２ａのパターンを示す。上側の透明電極２ａは中央の円形パターン２ａ１とその周囲を囲む外周パターン２ａ２とに分割されている。円形パターン２ａ１に囲まれた領域は第２開口数ＮＡ２に相当する領域である。図５に示す液晶シャッターＬＱＳの上下の透明電極２ａ、２ｂのそれぞれに一様に電圧をかけ、その値を可変した場合の印加電圧と光検出器ＰＤにおけるレーザ光束の受光強度を測定すると、図７のような特性曲線を有することとなる。  
【特許文献３】特開平１０−２０２６３号公報
【００４６】
図７から明らかなように、電圧２．０Ｖ以下では受光量はほぼゼロ、また、３．５Ｖ以上では受光量は９０〜１００％となる。したがって、液晶シャッターＬＱＳの透明電極に印加する電圧を変えることにより、受光量を制御することが可能である。
【００４７】
まず、ＢＤ記録／再生動作時には、液晶シャッター制御回路ＣＮＴ（図１）にディスク選択信号ＳＳＥＬとしてＢＤ選択信号が与えられる。
【００４８】
ＢＤ選択信号が与えられると、液晶シャッター制御回路ＣＮＴは、液晶シャッターＬＱＳの下側の透明電極２ｂ（図６（Ｂ））の全面をグランド（アース電位）に落とすとともに、上側の透明電極２ａ（図６（Ａ））の全面に、例えば３．５Ｖの電圧を印加する。
【００４９】
この３．５Ｖの電圧が印加されると、液晶シャッターＬＱＳ内のすべての液晶分子Ｍがその電界によってほぼ垂直配向の状態となり、液晶シャッターＬＱＳの全面は単なる透明板として作用し、ツイストによる偏光作用はほとんどなくなる。すなわち、青紫色半導体レーザＬＤから射出された発散光束は、図１において実線でその光線経路を描いたように、偏光ビームスプリッタＰＳを通過し、コリメータＣＬにより平行光束に変換され、ビームエキスパンダーＥＸＰを通過して液晶シャッターＬＱＳに入射する。このとき、直線偏光からなるレーザ光束は、そのまま偏光面を回転することなく通過し、１／４波長板ＱＷＰに至る。
【００５０】
１／４波長板ＱＷＰに入射した直線偏光のレーザ光束は、その偏光面Ｐが１／４波長板ＱＷＰの結晶軸Ｐc と４５゜の角度で交差しているので、直線偏光から円偏光に変えられ、図示しない絞りにより光束径が規制され、対物光学系ＯＬに平行光の状態で入射した後、そこからＢＤの保護層ＰＬ１を介して情報記録面ＲＬ１上に形成されるスポットとなる。対物光学系ＯＬは、３軸アクチュエータＡＣ１によりトラッキング駆動、フォーカシング駆動が行われる。
【００５１】
情報記録面ＲＬ１で情報ピットにより変調された反射レーザ光束は、再び対物光学系ＯＬを通過し、再び１／４波長板ＱＷＰに入射し、円偏光から直線偏光に変えられる。
【００５２】
そして、この直線偏光に戻された反射レーザ光束は、その偏光面が元の直線偏光面から９０゜回転したものとなっており、偏光ビームスプリッタＰＳの偏光面Ｐと平行な向きの偏光波となっている。この９０゜回転された直線偏光からなる反射レーザ光束は、透明板として作用している液晶シャッターＬＱＳをそのまま通過し、偏光ビームスプリッタＰＳに至る。前述したように、反射レーザ光束の偏光面は偏光ビームスプリッタＰＳの偏光面Ｐと直交する向きに回転されているので、偏光ビームスプリッタＰＳの偏光面で直交方向に反射され、センサーレンズＳＥＮを介して光検出器ＰＤで受光される。そして、光検出器ＰＤの出力信号を用いてＢＤに記録された情報を読み取ることができる。
【００５３】
このように、ＢＤ記録／再生時には、液晶シャッターＬＱＳの全面を単なる透明板として作用させることにより、ＢＤからの反射レーザ光束のすべてが光検出器ＰＤに入射することとなる。このため、ＢＤ再生時には、対物光学系ＯＬはそのレンズの全面が使用されることになる。したがって、この時の図示しない絞りによる開口をＢＤの記録／再生に適した値、例えば、ＮＡ１＝０．８５となるように設定しておけば、ＢＤに対して効率良く記録／再生することができるのである。
【００５４】
ＨＤ記録／再生時には、液晶シャッター制御回路ＣＮＴ（図１参照）には、ディスク選択信号ＳＳＥＬとしてＨＤ選択信号が与えられる。
【００５５】
このＨＤ選択信号が与えられると、液晶シャッター制御回路ＣＮＴは、液晶シャッターＬＱＳの下側の透明電極２ｂ（図６（Ｂ）参照）の全面をグランド（アース電位）に落とす。一方、上側の透明電極２ａ（図６（Ａ）参照）については、その中央の円形パターン２ａ１に対して、例えば、３．５Ｖの電圧を印加するとともに、この円形パターンを取り囲む外周パターン２ａ２ はグランド（アース電位）に落とす。
【００５６】
３．５Ｖの電圧を印加された中央の円形パターン２ａ１部分は、前述したＢＤ記録／再生動作時と同様の作用により、単なる透明板として機能する。したがって、この中央の円形パターン２ａ１部分を通過する反射光は、前記ＢＤの場合と同様にすべて偏光ビームスプリッタＰＳを通過し、光検出器ＰＤに入射することとなる。
【００５７】
一方、円形パターンを取り囲む外周パターン２ａ２ はグランド（アース電位）に落とされているので、この部分の液晶分子には何らの電界も作用しない。したがって、この外周パターン２ａ２部分の液晶分子は、ツイスト配向状態のままとなっている。このため、この外周パターン２ａ２ 部分を通過したレーザビームＢは、ツイストされた液晶分子Ｍに沿ってその偏光面が回転され、１／４波長板ＱＷＰに入射されることとなる。
【００５８】
青紫色半導体レーザＬＤから射出された発散光束は、図１において波線でその光線経路を描いたように、偏光ビームスプリッタＰＳを通過し、コリメータＣＬにより平行光束に変換され、ビームエキスパンダーＥＸＰを通過して液晶シャッターＬＱＳに入射する。その外周パターン２ａ２部分を通って１／４波長板ＱＷＰに入射したレーザ光束は、その偏光面と１／４波長板ＱＷＰの結晶軸Ｐc との向きがほぼ同じ方向となるので、１／４波長板ＱＷＰの作用をほとんど受けることなく１／４波長板ＱＷＰを通過し、図示しない絞りにより光束径が規制され、対物光学系ＯＬに発散光の状態で入射した後、そこからＨＤの保護層ＰＬ２を介して情報記録面ＲＬ２上に形成されるスポットとなる。対物光学系ＯＬは、３軸アクチュエータＡＣ１によりトラッキング駆動、フォーカシング駆動の他に回転駆動（厳密には振り子駆動）される。この振り子駆動は、対物光学系ＯＬのトラッキング駆動に追従して、光ディスクのラジアル方向に沿って行われる。振り子駆動（対物光学系ＯＬのチルト駆動）により発生するコマ収差と、トラッキング駆動により発生するコマ収差が相殺されるようになっている。光ピックアップ装置ＰＵ１は、対物光学系ＯＬのトラッキング量とその方向を検出し、その結果に応じて対物光学系ＯＬの振り子駆動の量と振り子の方向を決定する為の制御手段を有する。かかる制御手段と３軸アクチュエータＡＣ１とでコマ収差補正機構を構成する。尚、対物光学系ＯＬの代わりに、非球面光学面を有する光学素子をアクチュエータで光軸垂直方向にシフト駆動、又は光軸に垂直な回転軸を中心として回転駆動させても良い。
【００５９】
情報記録面ＲＬ２で情報ピットにより変調された反射レーザ光束は、再び対物光学系ＯＬを通過し、１／４波長板ＱＷＰに入射する。
【００６０】
この１／４波長板ＱＷＰに入射した反射光は、再び１／４波長板ＱＷＰの作用を受けることなく直線偏光のまま１／４波長板ＱＷＰを通過し、液晶シャッターＬＱＳに入射する。この直線偏光波からなる反射光は、液晶シャッターＬＱＳを通過する間に、液晶分子Ｍのツイストに沿ってその偏光面が回転され、液晶シャッターＬＱＳを出るときには元のレーザ光束の偏光面Ｐとほぼ同じ偏光方向となる。したがって、液晶シャッターＬＱＳの外周パターン２ａ２部分を通ってＨＤで反射されたレーザ光束は、そのまま偏光ビームスプリッタＰＳを透過してしまい、光検出器ＰＤに入射することがない。従って、円形パターン２ａ１ 部分を通過する反射レーザ光束のみを受光した光検出器ＰＤの出力信号を用いて、ＨＤに記録された情報を読み取ることができる。
【００６１】
このように、ＨＤ記録／再生時には、液晶シャッターＬＱＳの上側の透明電極２ａの中央の円形パターン２ａ１部分のみを透明板として作用させることにより、この円形パターン２ａ１部分を通った反射レーザ光束のみを光検出器ＰＤに入射させることができる。
【００６２】
これは、対物光学系ＯＬを通るレーザ光束のうち、レンズ外周部を通るレーザ光束がカットされた場合と等価である。すなわち、開口制限を行った場合と同様の効果が得られることとなる。そこで、この時の見かけ上の開口数ＮＡがＨＤの再生に適した値、例えばＮＡ２＝０．６７となるように、前記円形パターン２ａ１の形状を設定しておけば、ＢＤ用の光ピックアップ装置を用いて、ＨＤを互換可能に使用することができる。
【００６３】
また、ＨＤはＤＶＤと比べて波長が短くなったにも係わらず、保護層厚さはそのままの０．６ｍｍであるため、光ディスクの面振れ（粗悪ディスク）によりコマ収差が大きく発生してしまい、これに対する対策が光ピックアップ装置としては必須である。この光ディスクの面振れによるコマ収差も、３軸アクチュエータによる対物光学系ＯＬの振り子駆動（チルト）により相殺する。光ピックアップ装置ＰＵ１は、ＨＤのディスク面振れ量を検出し、対物光学系ＯＬの振り子駆動を制御する為の制御手段を有する。
【００６４】
又、別なコマ収差補正機構としては、図示していないが、少なくとも一方が光軸に関して非対称に分割された２枚の電極パネルと、当該電極パネルに挟置された液晶パネルと、当該電極パネルに電圧を供給するための電源部とを有し、対物光学系ＯＬのトラッキング駆動に追従して前記電源部により前記電極パネルに電圧を供給するような構成も用いることができる。液晶パネルを利用してコマ収差を補正する方法としては、例えば、上述の特許文献３に開示されている技術を利用することができる。
【００６５】
（実施例１）
実施例１は、図１に示す光ピックアップ装置ＰＵ１に好適な対物光学系ＯＬとビームエキスパンダーＥＸＰから構成される光学系である。実施例１のレンズデータを表１に示す。図２は、ＢＤ使用時の対物光学系ＯＬとビームエキスパンダーＥＸＰの光軸方向の配置を示す図であり、図３は、ＨＤ使用時の対物光学系ＯＬとビームエキスパンダーＥＸＰの光軸方向の配置を示す図である。尚、これ以降（表のレンズデータ含む）において、１０のべき乗数（例えば、２．５×１０−３）を、Ｅ（例えば、２．５Ｅ―３）を用いて表すものとする。
【００６６】
【表１】
2006092671.tif 000003
【００６７】
尚、本実施例の対物光学系ＯＬの光学面は、それぞれ以下の非球面表現式に表１に示す係数を代入した数式で規定される、光軸の周りに軸対称な非球面に形成されている。
［非球面表現式］
ｚ＝（ｙ２／Ｒ）／［１＋√｛１−（Ｋ＋１）（ｙ／Ｒ）２｝］＋Ａ４ｙ４＋Ａ６ｙ６＋Ａ８ｙ８＋Ａ１０ｙ１０＋Ａ１２ｙ１２＋Ａ１４ｙ１４＋Ａ１６ｙ１６＋Ａ１８ｙ１８＋Ａ２０ｙ２０
但し、
ｚ：非球面形状（非球面の面頂点から光軸に沿った方向の距離）
ｙ：光軸からの距離
Ｒ：曲率半径
Κ：コーニック係数
Ａ４，Ａ６，Ａ８，Ａ１０，Ａ１２，Ａ１４，Ａ１６，Ａ１８，Ａ２０：非球面係数
【００６８】
図４に、対物光学系ＯＬをシフトした場合（対物光学系ＯＬのトラッキング駆動に相当する）における対物光学系ＯＬのチルト補正の有無による球面収差を比較したグラフを示す。又、表２に、その数値データを示す。対物光学系ＯＬに発散光束を入射させた場合に、対物光学系のＯＬの光軸ずれ（シフト）に起因して発生する球面収差を、チルトにより補正できることがわかる。
【００６９】
【表２】
2006092671.tif 000004
【００７０】
次に、第２の実施の形態にかかる光ピックアップ装置について説明する。尚、本実施の形態にかかる光ピックアップ装置ＰＵ２は、光ディスク用のドライブ装置に組み込むことが可能である。
【００７１】
図８（Ａ）及び図８（Ｂ）は、高密度光ディスクＢＤとＨＤとＤＶＤとＣＤの何れに対しても適切に情報の記録／再生を行える光ピックアップ装置ＰＵ２の構成を概略的に示す図である。ＢＤの光学的仕様は、対物光学系の焦点距離ｆ１＝２．２００ｍｍ、波長λ１＝４０５ｎｍ、保護層ＰＬ１の厚さｔ１＝０．１ｍｍ、第１開口数ＮＡ１＝０．８５であり、ＨＤの光学的仕様は、対物光学系の焦点距離ｆ１＝２．２００ｍｍ、波長λ１＝４０５ｎｍ、保護層ＰＬ２の厚さｔ２＝０．６ｍｍ、第２開口数ＮＡ２＝０．６７であり、ＤＶＤの光学的仕様は、対物光学系の焦点距離ｆ２＝２．３３５ｍｍ、波長λ２＝６５５ｎｍ、保護層ＰＬ３の厚さｔ３＝０．６ｍｍ、第３開口数ＮＡ３＝０．６５であり、ＣＤの光学的仕様は、対物光学系の焦点距離ｆ３＝２．５４０ｍｍ、波長λ３＝７８５ｎｍ、保護層ＰＬ４の厚さｔ４＝１．２ｍｍ、第４開口数ＮＡ４＝０．５１である。但し、波長、保護層の厚さ、及び開口数の組合せはこれに限られない。
【００７２】
光ピックアップ装置ＰＵ２は、ＢＤ及びＨＤに対して情報の記録／再生を行う場合に発光され４０５ｎｍの青紫色レーザ光束（第１光束）を射出する青紫色半導体レーザＬＤ（第１光源部）、ＤＶＤに対して情報の記録／再生を行う場合に発光され６５５ｎｍのレーザ光束（第２光束）を射出する第２の発光点ＥＰ１（第２光源部）と、ＣＤに対して情報の記録／再生を行う場合に発光され７８５ｎｍのレーザ光束（第３光束）を射出する第２の発光点ＥＰ２（第３光源部）と、ＤＶＤの情報記録面ＲＬ２からの反射光束を受光する第１の受光部ＤＳ１（第２光検出器）と、ＣＤの情報記録面ＲＬ３からの反射光束を受光する第２の受光部ＤＳ２（第３光検出器）と、プリズムＰＳとから構成されたレーザモジュールＬＭ、ＢＤ及びＨＤ用の光検出器ＰＤ、入射したレーザ光束を情報記録面ＲＬ１、ＲＬ２、ＲＬ３、ＲＬ４上に集光させる機能を有する対物光学系ＯＬ、３軸アクチュエータＡＣ１、１軸アクチュエータＡＣ２、第１乃至第３光束が共通して通過する共通光路内に配置され、１軸アクチュエータＡＣ２より光軸方向に変移可能とされた負レンズＬ１と、光軸から挿脱可能とされた正レンズＬ２とから構成された変倍光学系であるビームエキスパンダーＥＸＰ、第１偏光ビームスプリッタＰＳ１、第２偏光ビームスプリッタＰＳ２、１／４波長板ＱＷＰ、情報記録面ＲＬ１、ＲＬ２からの反射光束に対して非点収差を付加するためのセンサーレンズＳＥＮ、第１光束のみが通過する専用光路内に配置され第１光束を平行光束に変換する第１コリメータＣＯＬ１（カップリング光学系）、第２光束と第３光束を平行光束に変換する第２コリメータＣＯＬ２とから構成されている。尚、ＢＤ用の光源として、上述の青紫色半導体レーザＬＤ１の他に青紫色ＳＨＧレーザを使用することもできる。対物光学系ＯＬは、収差補正素子とＢＤ用のガラスレンズから構成され、鏡枠を介して同軸に固定されている。
【００７３】
尚、対物光学系ＯＬのＢＤ記録／再生時の倍率はゼロであり、ＨＤ記録／再生時の倍率は−１／１４．７５であり、ＤＶＤ記録／再生時の倍率はゼロであり、ＣＤ記録／再生時の倍率はゼロである。
【００７４】
本実施の形態で用いる変倍機構は、ＢＤ記録／再生時には、図１４（Ａ）に示すように、平行光束を射出するように、光軸方向に並んだ負レンズＬ１と正レンズＬ２の間隔を１軸アクチュエータＡＣ２により最適化するようになっている。一方、ＨＤ記録／再生時には、図１４（Ｂ）に示すように、正レンズＬ２を光軸より脱離させ（図１で点線で示す状態）、且つ対物光学系ＯＬの倍率に相当する発散光束を形成できるように、負レンズＬ１を１軸アクチュエータＡＣ２により位置決めする。
【００７５】
更に、ＤＶＤ記録／再生時には正レンズＬ２を光軸中に挿入し、平行光束を射出するように、光軸方向に並んだ負レンズＬ１と正レンズＬ２の間隔を、ＢＤ記録／再生時より広くなるようにして１軸アクチュエータＡＣ２により最適化するようになっている。ＣＤ記録／再生時には正レンズＬ２を光軸中に挿入し、平行光束を射出するように、光軸方向に並んだ負レンズＬ１と正レンズＬ２の間隔を、ＢＤ記録／再生時より広くなるようにして１軸アクチュエータＡＣ２により最適化するようになっている。光ピックアップ装置ＰＵ２は、ディスクトレイ（不図示）に収容された光情報記録媒体（光ディスクともいう）の種類（ＢＤ、ＨＤ、ＤＶＤ、ＣＤ）を判別し、正レンズＬ２の挿脱、及び負レンズＬ１を最適位置に移動させるための制御手段を有する。
【００７６】
また、この変倍機構は、多層記録可能なＢＤにも対応する。より具体的には、同じＢＤにおける異なる深さの情報記録層にアクセスするために、対物光学系ＯＬを光軸方向に変位させるいわゆるフォーカスジャンプする際に発生する球面収差を、負レンズＬ１と正レンズＬ２の間隔を１軸アクチュエータＡＣ２により最適化（即ち対物光学系ＯＬの倍率を変更）することで補正することができる。なお、フォーカスジャンプの際の負レンズＬ１の移動量は、ＨＤ記録／再生時の移動量よりも小さい。もちろん、かかる変倍機構を用いて、同様に多層記録可能なＨＤに対応させる構成としても良い。この場合には、正レンズＬ２は光軸から脱離されているので、負レンズＬ１のみ移動させて行う。光ピックアップ装置ＰＵ２は、対物光学系ＯＬが合焦している情報記録層がどのレイヤーなのか（Ｌ０、Ｌ１、Ｌ１、・・）を判別する為のレイヤー判別手段を有する。
【００７７】
本実施の形態における開口制限機構は、光軸方向に見た図１５（Ｂ）に示すように、第１開口数ＮＡ１に対応する第１開口部Ａ１と、第２開口数ＮＡ２に対応する第２開口部Ａ２とが形成された板部材ＳＴＯを、ＢＤかＨＤかに応じて、光軸直交方向にシフト駆動する構成を行うようにしている。ＢＤに対して情報の記録及び／又は再生を行う場合には、第１開口部Ａ１の中心と対物光学系ＯＬの光軸Ｘとが一致するように板部材ＳＴＯをシフト駆動させ、ＨＤに対して情報の記録及び／又は再生を行う場合には、第２開口部Ａ２の中心と対物光学系ＯＬの光軸Ｘとが一致するように板部材ＳＴＯをシフト駆動させる。従って、光ピックアップ装置ＰＵ２は、ディスクトレイに入れられたディスクの種類（ＢＤ／ＨＤ）を判別し、不図示のアクチュエータによる板部材ＳＴＯの挿脱（シフト駆動又は回転駆動）を行うためのディスク判別手段を有する。尚、ＤＶＤとＣＤに対する開口制限は、対物光学系ＯＬ自身に設けられた開口制限機能（例えば後述する光学面に形成された位相構造など）により自動的に行われる。
【００７８】
別な開口制限機構としては、光軸方向に見た図１５（Ａ）に示すように、第１開口数ＮＡ１に対応する第１開口部Ａ１と、第２開口数ＮＡ２に対応する第２開口部Ａ２とが形成された板部材ＳＴＯを、不図示のアクチュエータを用いて、光軸Ｘに平行な軸Ｏ回りに回転駆動する構成を用いることもできる。ＢＤに対して情報の記録及び／又は再生を行う場合には、第１開口部Ａ１の中心と対物光学系ＯＬの光軸Ｘとが一致するように板部材ＳＴＯを回転駆動させ、ＨＤに対して情報の記録及び／又は再生を行う場合には、第２開口部Ａ２の中心と対物光学系ＯＬの光軸Ｘとが一致するように板部材ＳＴＯを回転駆動させる。
【００７９】
更に、別な開口制限機構として、例えば図１３に示すように、光軸Ｏを中心として、７枚の羽部材ＳＰを枢動可能に配置し、かかる羽部材ＳＰをアクチュエータ（不図示）により、情報の記録及び／又は再生を行うＢＤ又はＨＤの保護層の厚さに応じて回転駆動させることで、羽部材ＳＰから形成される開口部の径を変更することによって開口数ＮＡを設定することもできる。
【００８０】
又、別な開口制限機構として、第１の実施の形態と同様に、少なくとも一方が光軸を含む中央領域と当該中央領域を囲む周辺領域とに分割された２枚の電極パネルと、当該電極パネルに電圧を供給するための電源部と、前記電極パネルに挟置され、対物光学系ＯＬに入射する第１光束のうち前記電源部により前記電極パネルに印加される電圧量に基づいて前記周辺領域を通過する光束の偏光面を所定量回転させるための偏光面回転機構としての液晶パネルを有する構成も用いることができる。
【００８１】
本実施形態における対物光学系ＯＬは、図９〜１１に概略的に示すように、樹脂製の第１収差補正レンズＳＬ１と樹脂製の第２収差補正レンズＳＬ２と接合して構成を有する収差補正レンズ群ＣＳＬと、第１波長λ１とＢＤの保護層ＰＬ１の厚さｔ１とに対して球面収差が最小となるようにその非球面形状が設計されたガラス製の対物レンズＯＢＬが、鏡枠Ｂ（図８（Ａ）参照）を介して同軸で一体化された構成を有する。具体的には、円筒状の鏡枠Ｂの一端に第１収差補正レンズＳＬ１と第２収差補正レンズＳＬ２とを接合した状態で嵌合固定し、他端に対物レンズＯＢＬを嵌合固定して、これらを光軸に沿って同軸に一体化した構成となっている。
【００８２】
また、第１収差補正レンズＳＬ１は、ｄ線におけるアッベ数νｄ１＝５５．０、ｄ線における屈折率ｎｄ１＝１．５６００００であり、第２収差補正レンズＳＬ２は、ｄ線におけるアッベ数νｄ２＝２３．０、ｄ線における屈折率ｎｄ２＝１．６５００００である。
【００８３】
また、第１収差補正レンズＳＬ１の光源側の光学面には第１位相構造ＰＳＡ１が形成されており、第２収差補正レンズＳＬ２の光ディスク側の光学面には第２位相構造ＰＳＡ２が形成されている。
【００８４】
第１位相構造ＰＳＡ１は第１光束及び第３光束を回折せず、第２光束を回折するものであり、光軸を含む断面形状が階段状とされたパターンが同心円上に配列された構造であって、所定のレベル面（本実施の形態では５レベル面）の個数毎に、そのレベル面数に対応した段数分の高さだけ段をシフトさせた構造（本実施の形態においては４段シフトさせた構造）となっている。
【００８５】
階段構造の各段差Δ１は、Δ１＝２・λ１／（ｎ１−１）＝１．４０３μｍを満たす高さに設定されている。ここで、ｎ１は波長λ１（本実施の形態ではλ１＝４０５ｎｍ）における第１収差補正レンズＳＬ１の屈折率である。
【００８６】
段差Δ１により第１光束に付加される光路差は２×λ１であるので、第１光束は第１位相構造ＰＳＡ１により何ら作用を受けずにそのまま透過する。
【００８７】
また、段差Δ１により第３光束に付加される光路差は１×λ３（本実施の形態ではλ３＝７８５ｎｍ）であるので、第３光束も第１位相構造ＰＳＡ１により何ら作用を受けずにそのまま透過する。
【００８８】
一方、段差Δ１により第２光束に付加される光路差は１．１９×λ２≒１．２０×λ２（本実施の形態ではλ２＝６５５ｎｍ）であり、段差Δ１の前後のレベル面を通過する第２光束の位相差（光学的に等位相となる２πの整数倍分を差し引いた位相差）は２π×０．２０となる。１つの鋸歯は５分割されているため、鋸歯１つ分ではちょうど第２光束の位相差は５×２π×０．２０＝２πとなり、１次回折光が発生する。
【００８９】
このように、第１位相構造ＰＳＡ１は第２光束のみを選択的に回折させることにより、ＢＤの保護層厚さとＤＶＤの保護層厚さの違いによる球面収差を補正する。
【００９０】
尚、第１位相構造ＰＳＡ１で発生する第１光束の０次回折光（透過光）の回折効率は１００％、第２光束の１次回折光の回折効率は８７．２％、第３光束の０次回折光（透過光）の回折効率は９９．０％であり、何れの光束に対しても高い回折効率を得ている。
【００９１】
第２位相構造ＰＳＡ２は第１光束及び第２光束を回折せず、第３光束を回折するものであり、光軸を含む断面形状が階段状とされたパターンが同心円上に配列された構造であって、所定のレベル面（本実施の形態では４レベル面）の個数毎に、そのレベル面数に対応した段数分の高さだけ段をシフトさせた構造（本実施の形態においては３段シフトさせた構造）となっている。
【００９２】
階段構造の各段差Δ２は、Δ２＝７・λ１／（ｎ１−１）＝４．０３１μｍを満たす高さに設定されている。ここで、ｎ１は波長λ１における第２収差補正レンズの屈折率である。
【００９３】
段差Δ２により第１光束に付加される光路差は７×λ１であるので、第１光束は第２位相構造ＰＳＡ２により何ら作用を受けずにそのまま透過する。
【００９４】
また、段差Δ２により第２光束に付加される光路差は３．９５×λ２≒４×λ２であるので、第２光束も第２位相構造ＰＳＡ２によりほとんど作用を受けずにそのまま透過する。
【００９５】
一方、段差Δ２によりにより第３光束に付加される光路差Ｎ２は３．２５×λ３であり、段差Δ２の前後のレベル面を通過する第３光束の位相差（光学的に等位相となる２πの整数倍分を差し引いた位相差）は２π×０．２５となる。１つの鋸歯は４分割されているため、鋸歯１つ分ではちょうど第３光束の位相差は４×２π×０．２５＝２πとなり、１次回折光が発生する。
【００９６】
このように、第２位相構造ＰＳＡ２は第３光束のみを選択的に回折させることにより、ＢＤの保護層厚さとＣＤの保護層厚さの違いによる球面収差を補正する。
【００９７】
尚、第２位相構造ＰＳＡ１で発生する第１光束の０次回折光（透過光）の回折効率は１００％、第２光束の０次回折光（透過光）の回折効率は８８．８％、第３光束の１次回折光の回折効率は８１．０％であり、何れの光束に対しても高い回折効率を得ている。
【００９８】
以上説明したように、第１位相構造ＰＳ１により、ＢＤとＤＶＤとの相互互換を取ることにより、青紫色レーザ光束と赤色レーザ光束の両方の光束に対して高い透過率を確保することが可能となり、更に、第２位相構造ＰＳＡ２により、ＢＤとＣＤとの相互互換を取ることにより、青紫色レーザ光束と赤外レーザ光束の両方の光束に対して高い透過率を確保することが可能となる。
【００９９】
また、第１位相構造ＰＳＡ１は、ＤＶＤの第３開口数ＮＡ３内にのみ形成されているので、第３開口数ＮＡ３より外側の領域を通過する光束はＤＶＤの情報記録面ＲＬ３上でフレア成分となり、ＤＶＤに対する開口制限が自動的に行われる構成となっている。
【０１００】
また、第２位相構造ＰＳＡ２は、ＣＤの第４開口数ＮＡ４内にのみ形成されているので、第４開口数ＮＡ４より外側の領域を通過する光束はＣＤの情報記録面ＲＬ４上でフレア成分となり、ＣＤに対する開口制限が自動的に行われる構成となっている。
【０１０１】
光ピックアップ装置ＰＵ２において、ＢＤに対して情報の記録／再生を行う場合には、青紫色半導体レーザＬＤ１から射出された発散光束は、図８（Ａ）において実線でその光線経路を描いたように、第１偏光ビームスプリッタＰＳ１により反射された後、第１コリメータＣＯＬ１により平行光束に変換され、第２偏光ビームスプリッタＰＳ２を通過し、ビームエキスパンダーＥＸＰにより拡径され、１／４波長板ＱＷＰを通過し、第１開口部Ａ１により光束径が規制され、対物光学系ＯＬに平行光の状態で入射した後、そこからＢＤの保護層ＰＬ１を介して情報記録面ＲＬ１上に形成されるスポットとなる。対物光学系ＯＬは、３軸アクチュエータＡＣ１によりトラッキング駆動、フォーカシング駆動される。
【０１０２】
情報記録面ＲＬ１で情報ピットにより変調された反射光束は、再び対物光学系ＯＬ、１／４波長板ＱＷＰ、ビームエキスパンダーＥＸＰ及び第２偏光ビームスプリッタＰＳ２を透過した後、第１コリメータＣＯＬ１により収斂光束にされ、第１偏光ビームスプリッタＰＳ１を透過した後、センサーレンズＳＥＮにより非点収差が付加され、光検出器ＰＤの受光面上に収束する。そして、光検出器ＰＤの出力信号を用いてＢＤに記録された情報を読み取ることができる。
【０１０３】
光ピックアップ装置ＰＵ２において、ＨＤに対して情報の記録／再生を行う場合には、青紫色半導体レーザＬＤ１から射出された発散光束は、図８（Ａ）において波線でその光線経路を描いたように、第１偏光ビームスプリッタＰＳ１により反射された後、第１コリメータＣＯＬ１により平行光束に変換され、第２偏光ビームスプリッタＰＳ２を通過し、負レンズＬ１で発散光束に変換され、１／４波長板ＱＷＰを通過し、第２開口部Ａ２により光束径が規制され、対物光学系ＯＬに発散光の状態で入射した後、そこからＨＤの保護層ＰＬ２を介して情報記録面ＲＬ２上に形成されるスポットとなる。対物光学系ＯＬは、３軸アクチュエータＡＣ１によりトラッキング駆動、フォーカシング駆動の他に回転駆動（厳密には振り子駆動）される。この振り子駆動は、対物光学系ＯＬのトラッキング駆動に追従して、ＨＤのラジアル方向に沿って行われる。振り子駆動（対物光学系ＯＬのチルト駆動）により発生するコマ収差と、トラッキング駆動により発生するコマ収差が相殺されるようになっている。光ピックアップ装置ＰＵ２は、対物光学系ＯＬのトラッキング量とその方向を検出し、その結果に応じて対物光学系ＯＬの振り子駆動の量と振り子の方向を決定する為の制御手段を有する。かかる制御手段と３軸アクチュエータＡＣ１とでコマ収差補正機構を構成する。尚、対物光学系ＯＬの代わりに、非球面光学面を有する光学素子をアクチュエータで光軸垂直方向にシフト駆動、又は光軸に垂直な回転軸を中心として回転駆動させても良い。
【０１０４】
情報記録面ＲＬ２で情報ピットにより変調された反射光束は、再び対物光学系ＯＬ、１／４波長板ＱＷＰ、負レンズＬ１及び第２偏光ビームスプリッタＰＳ２を透過した後、第１コリメータＣＯＬ１により収斂光束にされ、第１偏光ビームスプリッタＰＳ１を透過した後、センサーレンズＳＥＮにより非点収差が付加され、光検出器ＰＤの受光面上に収束する。そして、光検出器ＰＤの出力信号を用いてＨＤに記録された情報を読み取ることができる。
【０１０５】
また、ＨＤはＤＶＤと比べて波長が短くなったにも係わらず、保護層厚さはそのままの０．６ｍｍであるため、光ディスクの面振れ（粗悪ディスク）によりコマ収差が大きく発生してしまい、これに対する対策が光ピックアップ装置としては必須である。この光ディスクの面振れによるコマ収差も、３軸アクチュエータＡＣ１による対物光学系ＯＬの振り子駆動により相殺する。光ピックアップ装置ＰＵ２は、ＨＤのディスク面振れ量を検出し、対物光学系ＯＬの振り子駆動を制御する為の制御手段を有する。
【０１０６】
更に、光ピックアップ装置ＰＵ２において、ＤＶＤに対して情報の記録／再生を行う場合には、図８（Ｂ）において点線でその光線経路を描いたように、第１の発光点ＥＰ１から射出された発散光束は、プリズムＰＳで反射された後、第２コリメータＣＯＬ２により平行光束に変換される。その後、第２偏光ビームスプリッタＰＳ２により反射され、ビームエキスパンダーＥＸＰにより拡径された後、１／４波長板ＱＷＰを通過し、対物光学系ＯＬに平行光の状態で入射した後、そこからＤＶＤの保護層ＰＬ３を介して情報記録面ＲＬ３上に形成されるスポットとなる。対物光学系ＯＬは、その周辺に配置された３軸アクチュエータＡＣ１によってフォーカシングやトラッキングを行う。
【０１０７】
情報記録面ＲＬ３で情報ピットにより変調された反射光束は、再び対物光学系ＯＬ、１／４波長板ＱＷＰ、ビームエキスパンダーＥＸＰを透過した後、第２偏光ビームスプリッタＰＳ２により反射され、第２コリメータＣＯＬ２により収斂光束に変換される。その後、プリズム内で２回反射された後、第１の受光部ＤＳ１に収束する。そして、第１の受光部ＤＳ１の出力信号を用いてＤＶＤに記録された情報を読み取ることができる。
【０１０８】
また、光ピックアップ装置ＰＵ２において、ＣＤに対して情報の記録／再生を行う場合には、図８（Ｂ）において二点鎖線でその光線経路を描いたように、第２の発光点ＥＰ２から射出された発散光束は、プリズムＰＳで反射された後、第２コリメータＣＯＬ２により平行光束に変換される。その後、第２偏光ビームスプリッタＰＳ２により反射され、ビームエキスパンダーＥＸＰにより拡径された後、１／４波長板ＱＷＰを通過し、対物光学系ＯＬに平行光の状態で入射した後、そこからＣＤの保護層ＰＬ４を介して情報記録面ＲＬ４上に形成されるスポットとなる。対物光学系ＯＬは、その周辺に配置された３軸アクチュエータＡＣ１によってフォーカシングやトラッキングを行う。
【０１０９】
情報記録面ＲＬ４で情報ピットにより変調された反射光束は、再び対物光学系ＯＬ、１／４波長板ＱＷＰ、ビームエキスパンダーＥＸＰを透過した後、第２偏光ビームスプリッタＰＳ２により反射され、第コリメータＣＯＬ２により収斂光束に変換される。その後、プリズム内で２回反射された後、第２の受光部ＤＳ２に収束する。そして、第２の受光部ＤＳ２の出力信号を用いてＣＤに記録された情報を読み取ることができる。
【０１１０】
（実施例２）
実施例２は、図８（Ａ）及び図８（Ｂ）に示す光ピックアップ装置に好適な対物光学系ＯＬとビームエキスパンダーＥＸＰから構成される光学系である。実施例２のレンズデータを表３に示す。本実施例では、第１位相構造ＰＳＡ１と第２位相構造ＰＳＡ２により入射光束に付加される光路差を、以下の光路差関数φ（ｍｍ）で表している。
［光路差関数］
φ＝λ／λＢ×ｄｏｒ×（Ｂ２ｙ２＋Ｂ４ｙ４＋Ｂ６ｙ６＋Ｂ８ｙ８＋Ｂ１０ｙ１０）
但し、
φ：光路差関数
λ：回折構造に入射する光束の波長
λＢ：製造波長
ｄｏｒ：光ディスクに対する記録／再生に使用する回折光の回折次数
ｙ：光軸からの距離
Ｂ２，Ｂ４，Ｂ６，Ｂ８，Ｂ１０：回折面係数
【０１１１】
【表３】
2006092671.tif 000005
【図面の簡単な説明】
【０１１２】
【図１】第１の光ピックアップ装置ＰＵ１の構成を概略的に示す図である。
【図２】ＢＤ使用時の対物光学系ＯＬとビームエキスパンダーＥＸＰの光軸方向の配置を示す図である。
【図３】ＨＤ使用時の対物光学系ＯＬとビームエキスパンダーＥＸＰの光軸方向の配置を示す図である。
【図４】対物光学系ＯＬをシフトした場合におけるチルト補正の有無による球面収差を比較したグラフである。
【図５】液晶分子のツイスト配向状態を説明するための模式斜視図（Ａ）であり、略示平面図（Ｂ）である。
【図６】液晶パネルの上下の透明電極に形成された電極パターンの形状例を示すもので、（Ａ）は上側の透明電極に形成されたパターンの一例を示す平面図、（Ｂ）は下側の透明電極のパターンの一例を示す平面図である。
【図７】液晶パネルの印加電圧に対する検出器の受光特性を示す図である。
【図８（Ａ）】第２の光ピックアップ装置ＰＵ１の構成を概略的に示す図であり、ＢＤ使用時とＨＤ使用時の光路を示している。
【図８（Ｂ）】第２の光ピックアップ装置ＰＵ１の構成を概略的に示す図であり、ＤＶＤ使用時とＣＤ使用時の光路を示している。
【図９】ＢＤ使用時の対物光学系ＯＬとビームエキスパンダーＥＸＰの光軸方向の配置を示す図である。
【図１０】ＨＤ使用時の対物光学系ＯＬとビームエキスパンダーＥＸＰの光軸方向の配置を示す図である。
【図１１】ＤＶＤ使用時の対物光学系ＯＬとビームエキスパンダーＥＸＰの光軸方向の配置を示す図である。
【図１２】ＣＤ使用時の対物光学系ＯＬとビームエキスパンダーＥＸＰの光軸方向の配置を示す図である。
【図１３】羽部材を用いた開口制限機構の例を示す図である。
【図１４】ビームエキスパンダーの正レンズの挿脱を示す概略図である。
【図１５】板部材を用いた開口制限機構の例を示す図である。
【符号の説明】
【０１１３】
ＡＣ１ ３軸アクチュエータ
ＡＣ２ １軸アクチュエータ
Ｂ 鏡枠
ＣＬ コリメータ
ＣＮＴ 液晶シャッター制御回路
ＣＯＬ１ 第１コリメータ
ＣＯＬ２ 第２コリメータ
ＤＳ１ 第１受光部
ＤＳ２ 第１受光部
ＥＰ１ 第１発光点
ＥＰ２ 第１発光点
ＥＸＰ ビームエキスパンダー
Ｌ１ 負レンズ
Ｌ２ 正レンズ
ＬＤ 青紫色半導体レーザ
ＬＤ１ 青紫色半導体レーザ
ＬＭ レーザモジュール
ＬＱＳ 液晶シャッター
ＯＢＬ 対物レンズ
ＯＬ 対物光学系
ＰＤ 光検出器
ＰＳ プリズム
ＰＳ 偏光ビームスプリッタ
ＰＵ１ 光ピックアップ装置
ＰＵ２ 光ピックアップ装置
ＱＷＰ １／４波長板
ＳＥＮ センサーレンズ
ＳＴＯ 板部材
【図１】
2006092671.tif 000006
【図２】
2006092671.tif 000007
【図３】
2006092671.tif 000008
【図４】
2006092671.tif 000009
【図５】
2006092671.tif 000010
【図６】
2006092671.tif 000011
【図７】
2006092671.tif 000012
【図８（Ａ）】
2006092671.tif 000013
【図８（Ｂ）】
2006092671.tif 000014
【図９】
2006092671.tif 000015
【図１０】
2006092671.tif 000016
【図１１】
2006092671.tif 000017
【図１２】
2006092671.tif 000018
【図１３】
2006092671.tif 000019
【図１４】
2006092671.tif 000020
【図１５】
2006092671.tif 000021